(57)【要約】  一面にミラーを有するミラー部を両側から挟むように支持する梁部を有し、該梁部をねじり駆動することにより前記ミラー部を所定の共振周波数で揺動させるミラー装置であって、  前記梁部の表面上に、加熱により変形する熱変形材料が設けられ、  前記梁部のバネ定数が、前記熱変形材料の加熱変形により、前記所定の共振周波数で前記ミラー部を揺動させるように調整されたことを特徴とする。
2012147167.tif 000002
【特許請求の範囲】
【請求項１】
一面にミラーを有するミラー部を両側から挟むように支持する梁部を有し、該梁部をねじり駆動することにより前記ミラー部を所定の共振周波数で揺動させるミラー装置であって、
前記梁部の表面上に、加熱により変形する熱変形材料が設けられ、
前記梁部のバネ定数が、前記熱変形材料の加熱変形により、前記所定の共振周波数で前記ミラー部を揺動させるように調整されたことを特徴とするミラー装置。
【請求項２】
前記熱変形材料は、前記梁部の上面及び下面の片面又は両面に設けられたことを特徴とする請求項１に記載のミラー装置。
【請求項３】
前記熱変形材料は、アモルファス材料であり、加熱後は多結晶化して収縮することを特徴とする請求項２に記載のミラー装置。
【請求項４】
前記熱変形材料は、薄膜の状態で設けられたことを特徴とする請求項３に記載のミラー装置。
【請求項５】
前記バネ定数は、加熱温度の選択により調整されたことを特徴とする請求項４に記載のミラー装置。
【請求項６】
前記熱変形材料は、前記梁部の上面及び下面に設けられ、上面と下面とで膜厚が異なることを特徴とする請求項１に記載のミラー装置。
【請求項７】
前記熱変形材料の少なくとも対向する２辺の周囲にヒータが更に設けられ、
該ヒータの通電による加熱により前記熱変形材料が変形されたことを特徴とする請求項１に記載のミラー装置。
【請求項８】
前記対向する２辺は、前記梁部の長手方向に平行な２辺であることを特徴とする請求項７に記載のミラー装置。
【請求項９】
前記ヒータは、高抵抗体材料の薄膜であることを特徴とする請求項８に記載のミラー装置。
【請求項１０】
前記熱変形材料は、熱変形率の異なる２種類以上の材料の各々からなる領域を有することを特徴とする請求項１に記載のミラー装置。
【請求項１１】
前記熱変形率の異なる２種類以上の材料は、アモルファス材料と、該アモルファス材料が不純物を含有した不純物含有アモルファス材料とからなることを特徴とする請求項１０に記載のミラー装置。
【請求項１２】
前記熱変形率の異なる２種類以上の材料の各々からなる領域は、前記梁部の長手方向に平行に配列されたことを特徴とする請求項１０に記載のミラー装置。
【請求項１３】
前記熱変形率の異なる２種類以上の材料の各々からなる領域は、水平方向に並列に延在して配列されたことを特徴とする請求項１２に記載のミラー装置。
【請求項１４】
前記熱変形率の異なる２種類以上の材料の各々からなる領域は、鉛直方向に積層されて配列されたことを特徴とする請求項１２に記載のミラー装置。
【請求項１５】
前記アモルファス材料は、アモルファスシリコンであり、
前記不純物は、半導体プロセスに用いられる不純物であることを特徴とする請求項１１に記載のミラー装置。
【請求項１６】
前記熱変形率の異なる２種類以上の材料の各々からなる領域は、異なる体積を有する領域を含むことを特徴とする請求項１２に記載のミラー装置。
【発明の詳細な説明】
【技術分野】
【０００１】
本発明は、ミラー装置に関し、特に、一面にミラーを有するミラー部を両側から挟むように支持する梁部を有し、梁部をねじり駆動することによりミラー部を所定の共振周波数で揺動させるミラー装置に関する。
【背景技術】
【０００２】
従来から、ねじりバネによりねじり軸まわりに揺動可能に支持された可動部を備え、ねじり軸まわりに少なくとも１つの共振周波数を有して揺動するマイクロ揺動体が知られている。かかるマイクロ揺動体の共振周波数の調整方法として、可動部のねじり軸から最も離れた箇所に、ねじり軸と平行に伸びる片持ち梁構造として調整部を形成し、調整部をレーザ加工等で除去し、質量調整を行うことにより共振周波数を調整する方法が知られている（例えば、特許文献１参照）。
【特許文献１】特開２００９−１２８４６３号公報
【発明の開示】
【発明が解決しようとする課題】
【０００３】
しかしながら、上述の特許文献１に記載の構成では、レーザ加工が必要であるため、高価なレーザ装置を用意する必要があり、コストが増大するとともに、揺動体を複雑な構造で加工する必要があり、プロセスが複雑化してしまうという問題があった。【０００４】
そこで、本発明は、安価に高精度で共振周波数を調整することができるミラー装置を提供することを目的とする。
【課題を解決するための手段】
【０００５】
本発明の一態様に係るミラー装置は、一面にミラーを有するミラー部を両側から挟むように支持する梁部を有し、該梁部をねじり駆動することにより前記ミラー部を所定の共振周波数で揺動させるミラー装置であって、
前記梁部の表面上に、加熱により変形する熱変形材料が設けられ、
前記梁部のバネ定数が、前記熱変形材料の加熱変形により、前記所定の共振周波数で前記ミラー部を揺動させるように調整されたことを特徴とする。
【発明の効果】
【０００６】
本発明によれば、安価かつ高精度に共振周波数が調整されたミラー装置を提供することができる。
【図面の簡単な説明】
【０００７】
【図１Ａ】本発明の実施例１に係るミラー装置の一例を示した平面構成図である。
【図１Ｂ】図１ＡにおけるＡ−Ａ断面を示した図である。
【図２Ａ】本発明の実施例２に係るミラー装置の一例を示した平面構成図である。
【図２Ｂ】図２ＡにおけるＢ領域を拡大して示した平面構成図である。
【図３Ａ】本発明の実施例３に係るミラー装置の一例を示した平面構成図である。
【図３Ｂ】図３Ａの領域Ｃを拡大して示した平面構成図である。
【図４Ａ】本発明の実施例４に係るミラー装置の一例を示した平面構成図である。
【図４Ｂ】図４ＡにおけるＤ−Ｄ断面の構成を示した断面図である。
【図５】本発明の実施例５に係るミラー装置の一例を示した図である。
【図６】本発明の実施例６に係るミラー装置の一例を示した図である。
【図７】本発明の実施例７に係るミラー装置の一例を示した平面構成図である。
【図８】本発明の実施例８に係るミラー装置の一例を示した平面構成図である。
【図９】本発明の実施例９に係るミラー装置の一例を示した断面図である。
【図１０】本発明の実施例１０に係るミラー装置の一例を示した断面図である。
【符号の説明】
【０００８】
１０    ミラー部
２０    梁部
３０〜４９    熱変形材料
６０    フレーム
７０〜７５    ヒータ
【発明を実施するための形態】
【０００９】
以下、図面を参照して、本発明を実施するための形態の説明を行う。
【実施例１】
【００１０】
図１Ａは、本発明の実施例１に係るミラー装置の一例を示した平面構成図である。図１Ａにおいて、実施例１に係るミラー装置は、ミラー部１０と、梁部２０と、熱変形材料３０と、フレーム６０とを備える。【００１１】
ミラー部１０は、２本の梁部２０の各々の内側端部に連結され、２本の梁部２０に両外側から挟まれるように支持されている。各々の梁部２０の外側端部は、フレーム６０に連結され、フレーム６０により支持されている。各々の梁部２０の表面上には、熱変形材料３０が設けられている。【００１２】
ミラー部１０は、一面にミラーを有し、ミラーにより光を反射する部分であり、板状に構成される。ミラー部１０は、ミラーが板状の部材の表面上に設置されて構成されてもよいし、板状の部材自体が鏡面研磨されて構成されてもよい。ミラー部１０に光を照射し、照射光をミラーで反射することにより、反射した光を所定の位置に照射することができる。【００１３】
ミラー部１０は、反射光を移動させることが可能なように、移動可能な可動部として構成される。図１Ａに示すように、ミラー部１０は、両側から梁部２０に支持され、梁部２０を軸として、軸周りに揺動（又は振動、回転、回動）可能に構成されている。【００１４】
梁部２０は、ミラー部１０を支持するとともに、揺動駆動するための駆動媒体である。梁部２０は、弾力性を有し、ばねとして機能する。梁部２０は、同一直線上でミラー部１０を両側から支持し、ミラー部１０に対して軸を有する。梁部２０がねじれることにより、軸周りに回転力又は振動力が発生し、弾性支持しているミラー部１０を軸周りに揺動させる。なお、梁部２０を揺動駆動させる駆動源は、磁力であってもよいし、圧電素子のようなものであってもよい。また、駆動源は、梁部２０外に設けられていてもよいし、梁部２０に設けられていてもよい。梁部２０によりミラー部１０を揺動させることにより、ミラー部１０に照射された光を走査させることができ、スキャナとして機能させることができる。このように、本実施例に係るミラー装置は、例えば、スキャナ等の光学デバイスとして利用することができる。【００１５】
フレーム６０は、梁部２０及びミラー部１０を支持するための外枠である。ミラー部１０及び梁部２０は可動体であるが、フレーム６０は固定体であり、揺動駆動する梁部２０及びミラー部１０を固定支持する。【００１６】
ミラー部１０、梁部２０及びフレーム３０は、各々の機能を果たすことができれば、種々の材料から構成されてよいが、例えば、半導体基板から構成されてもよい。例えば、シリコン基板で絶縁膜を両面から挟んだＳＯＩ（Silicon On Insulator）基板を用いて構成されてもよい。この場合には、ミラー部１０及び梁部２０をＳＯＩ基板の表面側にある薄いシリコン基板のみで構成し、フレーム６０をＳＯＩ基板の全体で構成するようにすれば、梁部２０には弾性を有するバネとして機能させ、フレーム６０は弾性を有しない固定支持体として機能させることができる。【００１７】
熱変形材料３０は、加熱により変形する材料から構成され、加熱変形により梁部２０のバネ定数を変化させる手段である。図１Ａに示すように、熱変形材料３０は、各々の梁部２０の表面上に設けられる。【００１８】
図１Ｂは、図１ＡのＡ−Ａ断面を示した図である。図１Ｂにおいて、梁部２０の上面及び下面の表面上の２箇所ずつ、合計４箇所に、熱変形材料３０が形成されている。なお、中央部はミラー部１０となるが、Ａ−Ａ断面においては、梁部２０とミラー部１０は連続的に形成されている。熱変形材料３０は、ミラー部１０を左右両側から挟むように、ミラー部１０の両側の梁部２０の上面及び下面に設けられている。熱変形材料３０は、例えば収縮変形により、梁部２０に長手方向に収縮する応力を与える。これにより、梁部２０も収縮した状態となるので、バネ定数が増加する。よって、熱変形材料３０は、収縮することにより、梁部２０のバネ定数を増加させることができる。【００１９】
熱変形材料３０は、加熱により変形する性質を有する材料であれば、種々の材料から構成されてよいが、例えば、アモルファス材料から構成されてもよい。アモルファス材料は、アモルファス状態（非晶質状態）では結晶のように規則的な原子構造を有せず、短距離的秩序はあるが長距離的秩序が無い状態であるが、加熱により相変化が発生し、多結晶化するという性質を有する。アモルファス材料は、この加熱の相変化による多結晶化の際、収縮する熱変形が発生する。よって、熱変形材料３０には、アモルファス材料を用いるようにしてもよい。【００２０】
熱変形材料３０は、梁部２０に固定して設けられ、加熱変形により発生する応力を梁部２０に伝達できることが必要である。熱変形材料３０は、固体の状態で梁部２０に固定されていれば、種々の形態をとることが可能であるが、例えば、薄膜として梁部２０の表面上に形成されてもよい。例えば、アモルファス材料は、ＣＶＤ（Chemical Vapor Deposition、化学気相成長法）、蒸着法等を用いて、梁部２０の表面上に薄膜状態で設けることができる。例えば、まず梁部２０を含む表面全体にアモルファス材料の薄膜を形成し、次いで、熱変形材料３０の形成が不要な箇所をエッチングにより除去すれば、アモルファス材料を梁部２０の所定領域に形成することができる。これにより、梁部２０の表面上に固着した状態で熱変形材料３０を設けることができ、熱変形材料３０の変形を、変形応力として梁部２０に伝達することができる。【００２１】
アモルファス材料は、種々のアモルファス材料を用いることができ、例えば、アモルファス半導体材料やアモルファス金属材料を用いることができる。アモルファス半導体材料としては、例えば、アモルファスシリコンを用いることができる。また、アモルファス金属材料としては、例えば、コバルトを用いることができる。【００２２】
本実施例に係るミラー装置を半導体基板で構成する場合、アモルファス材料には、半導体プロセスで用いる材料を用いることが好ましい。例えば、本実施例に係るミラー装置を、ＳＯＩ基板等のシリコン基板で構成する場合には、アモルファス材料としてアモルファスシリコンを用いるようにすれば、通常の半導体プロセスと同様の工程で熱変形材料３０を形成することができる。熱変形材料３０の設けるために特殊な工程を導入する必要が無いので、製造コストを上昇させることなく、梁部２０のバネ定数を容易に変更して調整することができる。【００２３】
なお、共振周波数ｆは、バネ定数をｋ、軸周りのモーメントをＩとすると、（１）式のように求められる。【００２４】
【数１】
2012147167.tif 000003
（１）式に示されるように、バネ定数ｋを変化させることにより、共振周波数ｆを変化させることができる。【００２５】
熱変形材料３０にアモルファス材料を用いる場合、バネ定数の調整は、加熱温度の選択により行うことができる。一般的に、高い温度で加熱すれば、アモルファス材料の収縮量は大きくなり、低い温度で加熱すれば、アモルファス材料の収縮量は小さくなる。よって、本実施例に係るミラー装置においては、図１Ａに示したミラー装置の形成後、共振周波数を測定し、測定した共振周波数を所定の共振周波数ｆに変更するために適切なバネ定数ｋを（１）式より算出し、加熱温度を定めればよい。【００２６】
例えば、熱変形材料３０にアモルファスシリコンを用いた場合には、６００〜９００℃程度の範囲で加熱温度を設定することができる。共振周波数の測定により、所定の共振周波数ｆに調整するためにどの程度バネ定数ｋを変化させればよいかが分かるので、その結果に応じて加熱温度を定めることができる。【００２７】
なお、加熱温度のみならず、加熱時間等でも加熱条件を調整することができる。熱変形材料３０が、加熱時間の調整により変形量を調整できる場合には、加熱時間を変化させて変形量を調整し、バネ定数ｋを調整して所定の共振周波数ｆが得られるように調整してよい。このように、加熱条件は、熱変形材料３０の変形量を調整することができれば、加熱に関連する種々のパラメータを用いて設定することができる。【００２８】
また、熱変形材料３０にアモルファス材料を用いた場合には、熱変形材料３０は加熱により収縮するが、加熱により伸張する熱変形材料３０を用いてもよい。この場合には、熱変形材料３０が梁部２０に伸張する応力を与え、梁部２０のバネ定数ｋを減少させて共振周波数ｆを調整することができる。このように、本実施例に係る熱変形材料３０は、加熱変形によりバネ定数ｋを変化させ、所定の共振周波数ｆを得ることができれば、加熱により収縮する材料のみならず、加熱により伸張する材料も用いることができる。これにより、用途に応じて、種々の熱変形材料３０を利用することができる。【００２９】
なお、具体的な共振周波数の調整方法は、例えば、以下のようにして行うことができる。まず、図１Ａに示したミラー装置の構造体を形成する。その際、熱変形材料３０は、加熱前の変形していない状態で設けられる。【００３０】
次いで、図１Ａに示したミラー装置の共振周波数を測定する。次に、測定した共振周波数に応じて、加熱条件を設定する。加熱条件は、加熱温度等、熱変形材料３０の変形量が調整できるパラメータを用いて設定することができる。次いで、加熱しながらミラー装置の共振周波数ｆを測定する。この場合の加熱は、ミラー装置全体を炉に入れて全体を加熱してもよいし、熱変形材料３０の部分だけスポット的に加熱できる手段があれば、部分的な加熱を行ってもよい。そして、所定の共振周波数ｆを得た時点で、加熱を完了する。かかる共振周波数ｆの調整方法により、ミラー装置の共振周波数ｆを高精度に調整することができる。【００３１】
なお、この共振周波数調整方法では、共振周波数ｆを測定しながら加熱を行うため、加熱時間の設定は行わないが、例えば、パラメータを加熱時間とし、所定時間加熱後に共振周波数ｆの測定を行い、それに応じてまた次の加熱時間を設定する、というような調整を行うようにしてもよい。このように、加熱しながらの共振周波数ｆの測定が困難な場合には、所定時間の加熱を繰り返し、少しずつ所定の共振周波数ｆに接近させるような調整方法を用いてもよい。【００３２】
例えば、熱変形材料３０にアモルファス材料を用いた場合には、共振周波数調整後は、熱変形材料３０は多結晶化した状態に変化しているが、外観的には、加熱前の状態から変化していない。よって、図１Ａに示したミラー装置の外観がそのまま保たれる。【００３３】
実施例１に係るミラー装置によれば、複雑な加工を行うことなく、高精度に共振周波数ｆを調整することができる。また、ミラー装置が半導体基板から形成されている場合には、熱変形材料３０に半導体プロセスで利用される材料を用いることにより、従来通りのプロセスを利用しつつミラー装置を製造することができる。これにより、製造コストを殆ど増加させることなく高精度な共振周波数ｆでミラー揺動が実現できるミラー装置を提供することができる。【００３４】
なお、実施例２以降においては、実施例１と異なる構成要素を中心に説明する。実施例２以降において、特に言及しない構成要素は、実施例１に係るミラー装置の構成要素を備えており、実施例１における説明を適用できるものとする。
【実施例２】
【００３５】
図２Ａは、本発明の実施例２に係るミラー装置の一例を示した平面構成図である。図２Ａに示すように、実施例２に係るミラー装置は、ミラー部１０と、梁部２０と、熱変形材料３０を備える点で、実施例１に係るミラー装置と共通する。なお、実施例２に係るミラー装置も、フレーム６０を備えるが、図２Ａにおいては省略されている。このように、主要構成要素としては、実施例２に係るミラー装置は、実施例１に係るミラー装置と同様の構成要素を備える。【００３６】
図２Ｂは、図２ＡにおけるＢ領域を拡大して示した平面構成図である。図２Ｂにおいて、実施例２に係るミラー装置は、梁部２０の表面上に熱変形材料３０が設けられている点は、実施例１と同様であるが、熱変形材料３０の長手方向の周囲に、ヒータ７０、７１が更に設けられている点で、実施例１に係るミラー装置と異なっている。このように、熱変形材料３０の長手方向の周囲に、ヒータ７０、７１を更に設けるようにしてもよい。【００３７】
ヒータ７０、７１は、熱変形材料３０を加熱するための手段である。ヒータ７０、７１は、例えば、図２Ｂに示すように、梁部２０の長手方向に沿って、熱変形材料３０を上側（＋Ｙ側）と下側（−Ｙ側）の両側から挟むように設ける。かかる構成において、例えば、上側（＋Ｙ）側のヒータ７０のみ通電させれば、熱変形材料３０の上側（＋Ｙ側）のみを熱変形させることができる。図２Ｂにおいては、熱変形材料３０にアモルファス材料を用い、熱変形材料３０の上側（＋Ｙ側）のみを収縮させようとした状態が示されている。これにより、ＸＹ平面上でＹ方向に湾曲させるような力を発生させることができ、梁部２０のバネ定数ｋを、軸に垂直な方向の変形をも用いて調整することができる。このように、熱変形材料３０の局所的な部分にのみ接近して設けられたヒータ３０を用いて加熱することにより、熱変形材料３０の局所的な部分のみを加熱し、熱変形させることができる。これにより、梁部２０を局所的に変形させてバネ定数ｋを調整することが可能となり、より高精度にバネ定数を調整し、所定の共振周波数ｆでの揺動駆動が可能となる。【００３８】
ヒータ７０、７１は、各々が独立して発熱することが可能であれば、種々の加熱手段を用いることができるが、例えば、高抵抗体材料から構成された薄膜を用いてもよい。例えば、タンタルシリコンナイトライド（ＴａＳｉＮ）は高抵抗材料であり、ＴａＳｉＮの薄膜をヒータ７０、７１として設け、これに通電することにより、ヒータ７０、７１から熱を発生させることができる。ＴａＳｉＮも、半導体プロセスで用いられる材料の１つであるから、複雑なプロセスを追加することなくヒータ７０、７１を形成することができる。【００３９】
また、図２Ｂにおいては、上側（＋Ｙ側）のヒータ７０のみを通電させた例を挙げて説明したが、下側（−Ｙ側）のヒータ７１のみを通電させ、熱変形材料３０の下側（−Ｙ側）のみを加熱収縮してもよいことは言うまでもない。【００４０】
更に、上側（＋Ｙ側）のヒータ７０と下側（−Ｙ側）のヒータ７１の双方を通電させるが、ヒータ７０とヒータ７１に流す電流の大きさを異ならせたり、通電時間を異ならせたりしてもよい。全体として梁部２０のバネ定数ｋを大きくする必要があるが、更に揺動軸に垂直な方向の不均衡を是正したい場合には、このような調整を行うようにしてもよい。【００４１】
また、特に局所的な熱変形が不要で、熱変形材料３０を梁部２０の長手方向に熱変形させたい場合には、ヒータ７０、７１に均等に電流を流すようにすればよい。【００４２】
なお、熱変形材料３０及びヒータ７０、７１を梁部２０の上面及び下面の表面上に設けてよい点や、熱変形材料３０に、アモルファスシリコン等の加熱収縮材料のみならず、加熱伸張材料を用いてもよい点等、その他の種々の詳細な内容については、実施例１をそのまま適用することができるので、その説明を省略する。【００４３】
また、共振周波数ｆの調整方法については、加熱条件の設定において、加熱温度ではなくヒータ７０、７１への通電条件として設定してよい点や、ヒータ７０、７１の各々について個別に加熱条件の設定を行える点が、実施例１に係るミラー装置と異なっている。その他の調整内容については、実施例１に係るミラー装置と同様であるので、その説明を省略する。【００４４】
実施例２に係るミラー装置によれば、熱変形材料３０を局所的に変形させて梁部２０のバネ定数ｋを調整することができるので、より高精度に共振周波数ｆの調整を行うことができる。
【実施例３】
【００４５】
図３Ａは、本発明の実施例３に係るミラー装置の一例を示した平面構成図である。図３Ａにおいて、実施例３に係るミラー装置は、ミラー部１０と、梁部２０と、熱変形材料３１とを構成要素として有する点で、実施例１に係るミラー装置と同様である。また、図３Ａでは省略されているが、実施例３に係るミラー装置は、実施例１と同様にフレーム６０を更に備えてよい。このように、実施例３に係るミラー装置は、主要構成要素については、実施例１に係るミラー装置と類似した構成要素を備えている。【００４６】
図３Ｂは、図３Ａの領域Ｃを拡大して示した平面構成図である。図３Ｂにおいて、梁部２０の表面上に熱変形材料３１が形成されているが、熱変形材料３１が、２種類の異なる熱変形材料３２、３３を備えている点で、実施例１に係るミラー装置と異なっている。【００４７】
熱変形材料３１は、互いに熱変形率が異なる２種類の熱変形材料３２、３３から構成される。図３Ｂにおいて、熱変形材料３２、３３は、熱変形材料３１を軸方向に垂直な方向で２分割し、軸方向に平行な方向に並列に延在して構成されている。つまり、熱変形材料３２からなる領域と、熱変形材料３３からなる領域が、梁部２０の長手方向に延在して並列に隣接して設けられている。かかる構成により、熱変形材料３１を加熱したときに、熱変形材料３２と熱変形材料３３との熱変形率が異なることから、軸方向に垂直な方向に湾曲する力が発生し、Ｙ方向にも梁部２０の調整を行うことができる。【００４８】
図３Ｂにおいて、例えば、熱変形材料３２がアモルファスシリコン単体から構成され、熱変形材料３３が不純物を含んだアモルファスシリコンから構成されてもよい。アモルファスシリコンに、ヒ素（Ａｓ）やリン（Ｐ）等の不純物を注入することにより、熱収縮率が変化し、アモルファスシリコンの熱収縮率よりも大きくなる。よって、同じ温度で加熱したときに、熱変形材料３３の方に熱変形材料３２の収縮力Ｆ１よりも大きな収縮力Ｆ２が発生し、ＸＹ平面上でＹ方向に湾曲するような調整が可能となる。このように、熱収縮率の異なる２種類の熱変形材料３２、３３から構成された熱変形材料３１を梁部２０の表面上に設けることにより、梁部２０の軸方向のみならず、軸に垂直な方向にも調整を行うことが可能となる。【００４９】
この加熱変形は、実施例２に係るミラー装置と同様の変形である。つまり、実施例３に係るミラー装置においては、ヒータ７０を設けることなく、簡素な構成で、揺動軸に垂直な方向にも応力を発生させることができる。これにより、簡素な構成でありながら、揺動軸に垂直な方向も含めた高精度な梁部２０のバネ定数ｋの調整を行うことが可能となり、所定の共振周波数ｆによる揺動を高精度で実現することができる。【００５０】
なお、図３Ｂに示した熱変形材料３１を形成するためには、まずアモルファス材料のみで構成された熱変形材料３２で全体を形成し、次いで、マスク等を用いて、熱変形材料３３の領域のみにＡｓ、Ｐ等の不純物をイオン注入すればよい。熱変形材料３１自体も、通常の半導体プロセスと同様のプロセスで形成することができ、安価なプロセスで熱変形材料３１を設けることができる。【００５１】
また、図３Ｂにおいては、熱変形材料３１を２種類の熱変形材料３２、３３で構成する例を挙げて説明したが、熱変形材料の種類を更に増やし、３種類以上の熱変形材料で熱変形材料３１を構成することも可能である。【００５２】
このように、実施例３に係るミラー装置によれば、ヒータ７０を設けず、簡素な構成を有しながらも、梁部２０の長手方向のみならず、これに垂直な方向の調整を行うことができ、高精度に梁部２０のバネ定数ｋの調整を行うことができる。そしてこれにより、ミラー部１０の揺動の共振周波数ｆの調整を高精度に行うことができる。
【実施例４】
【００５３】
図４Ａは、本発明の実施例４に係るミラー装置の一例を示した平面構成図である。実施例４に係るミラー装置は、主要構成要素として、ミラー部１０と、梁部２０と、熱変形部３４とを有する点で、実施例１乃至実施例３と共通する。なお、図４Ａにおいては、フレーム６０が示されていないが、実施例４に係るミラー装置は、実施例１に係るミラー装置と同様に、フレーム６０を備えてよい。【００５４】
図４Ｂは、図４ＡにおけるＤ−Ｄ断面の構成を示した側断面図である。図４Ｂにおいて、梁部２０の表面上に、熱変形材料３４が設けられているが、熱変形材料３４は、熱変形率の異なる２種類の熱変形材料３５、３６を有している。２種類の変形材料３５、３６は、熱変形材料３４を厚さ方向に２分割している。つまり、熱変形材料３５の上に、熱変形材料３６が積層されたような構成となっている。このように、厚さ方向に熱変形率が異なる２種類以上の材料を含むように熱変形材料３４を構成してもよい。これにより、梁部２０の鉛直方向に変形を生じさせることができ、梁部２０の水平長手方向の変形のみならず、鉛直方向の湾曲変形も用いてバネ定数ｋの調整を行うことができる。【００５５】
図４Ｂにおいて、例えば、梁部２０の表面に直接接触した下側の熱変形材料３５をアモルファスシリコン、熱変形材料３５の上方にある熱変形材料３６を不純物が含まれたアモルファスシリコンとして構成してもよい。そうすると、実施例３で説明したように、ＡｓやＰ等の不純物を含んだアモルファスシリコンの収縮力Ｆ４の方が、不純物を含んでいないアモルファスシリコンの収縮力Ｆ３よりも大きくなるので、梁部２０にはＸＺ平面の−Ｚ方向（鉛直負方向）に湾曲するような応力が発生する。これにより、梁部２０のバネ定数ｋを、揺動軸方向のみならず、揺動軸を含むＸＹ水平面に鉛直なＺ方向も含めて調整することができ、高精度な調整が可能となる。【００５６】
本実施例においても、実施例３と同様に、ヒータ７０を設けることなく簡素な構成を有しながらも、複数方向に梁部２０のバネ定数ｋの調整を行うことが可能となる。【００５７】
なお、熱変形材料３４の形成は、最初に全体をアモルファスシリコンで形成し、その後、イオン注入の深さを調整して熱変形材料３６の領域にのみ不純物を注入すればよい。このように、通常の半導体プロセスを利用して熱変形材料３４を形成することができる。【００５８】
また、図４Ｂにおいては、熱変形材料３４を構成する熱変形率の異なる熱変形材料３５、３６は２種類である例を挙げて説明したが、３種類以上の熱変形率の異なる熱変形材料を用いて構成してもよいことは、実施例３と同様である。【００５９】
実施例４に係るミラー装置によれば、ヒータ７０を設けない簡素な構成でありながら、梁部２０の揺動軸方向と鉛直方向の２方向に変形調整を行うことができ、高精度に梁部２０のバネ定数ｋの調整を行うことができる。そしてこれにより、ミラー部１０の揺動の共振周波数ｆの調整を高精度に行うことができる。
【実施例５】
【００６０】
図５は、本発明の実施例５に係るミラー装置の一例を示した図である。図５において、梁部２０を含む断面構成が示されている。図５において、実施例５に係るミラー装置は、ミラー部１０と、梁部２０と、熱変形材料３０を備える点で、実施例１と共通する。なお、実施例５に係るミラー装置は、実施例１と同様に、フレーム６０を備えてよい。【００６１】
一方、図５において、実施例５に係るミラー装置は、熱変形材料３０が梁部２０の上面のみに設けられており、下面には設けられていない点で、実施例１に係るミラー装置と異なっている。このように、熱変形材料３０は、梁部２０の上面又は下面の一面のみに設けるようにしてもよい。これにより、例えば、熱変形材料３０がアモルファス材料等の加熱により収縮する材料の場合には、梁部２０の上面側にのみ収縮力が直接作用し、下面側には内部応力しか作用しないので、梁部２０を揺動軸方向に収縮させる力の他、ＸＺ平面の−Ｚ方向（鉛直負方向）に反るように湾曲する力を発生させることができる。【００６２】
このように、実施例５に係るミラー装置によれば、熱変形材料３０を梁部２０の片面にしか設けない簡素な構成でありながら、梁部２０の軸方向及び鉛直方向に力を発生させてバネ定数ｋの調整を行うことができる。これにより、ミラー部１０の揺動の共振周波数ｆの調整を高精度に行うことができる。
【実施例６】
【００６３】
図６は、本発明の実施例６に係るミラー装置の一例を示した図である。図６において、梁部２０を含むミラー装置の側断面図が示されている。実施例６に係るミラー装置は、ミラー部１０と、梁部２０と、梁部２０の上面及び下面に熱変形材料３０、３７とを備える点で実施例１に係るミラー装置と共通する。しかしながら、梁部２０の下面に設けられた熱変形材料３７は、上面に設けられた熱変形材料３０よりも厚く構成されている点で、実施例１に係るミラー装置と異なっている。【００６４】
このように、本発明に係るミラー装置は、上面又は下面のみ熱変形材料３０、３７の厚さを厚くして構成してもよい。熱変形材料３０、３７の各々に同一の熱変形材料を用いることにより、厚い方の熱変形材料３７の熱変形量を大きくすることができる。例えば、図６において、熱変形材料３０、３７にアモルファスシリコンの薄膜を用いたとすると、膜厚の厚い梁部２０の下面に設けられた熱変形材料３７の収縮力が、上面に設けられた熱変形材料３０の収縮力よりも大きくなる。よって、熱変形材料３０の加熱収縮により、梁部２０の揺動軸方向に収縮する力の他、＋Ｚ方向（鉛直正方向）に反るように湾曲する力を梁部２０に発生させることができ、２方向の変形応力を用いてバネ定数ｋを調整することができる。また、梁部２０の上面と下面の双方に熱変形材料３０が設けられているので、軸方向への収縮力を減少させることなく、法線方向にも湾曲力を発生させることができる。【００６５】
このように、実施例６に係るミラー装置によれば、十分な変形量を確保しつつ、２方向への変形で高精度に梁部２０のバネ定数ｋを調整することができる。そしてこれにより、ミラー部１０の揺動の共振周波数ｆの調整を高精度に行うことができる。
【実施例７】
【００６６】
図７は、本発明の実施例７に係るミラー装置の一例を示した平面構成図である。図７において、実施例７に係るミラー装置は、梁部２０の表面上に、熱変形材料３８を備えており、周囲がヒータ７２〜７５に囲まれている点で、実施例２に係るミラー装置と共通する。【００６７】
しなしながら、実施例７に係るミラー装置は、熱変形材料３８の形状が正方形に近い形状である点で、実施例２に係るミラー装置と異なっている。また、実施例７に係るミラー装置は、熱変形材料３８の周囲が、梁部２０の長手方向だけではなく、短手方向も含めた４方向についてヒータ７２〜７５に囲まれている点で、実施例２に係るミラー装置と異なっている。【００６８】
このように、ミラー装置を、熱変形材料３８の形状を正方形形状にするとともに、その周囲全体の４辺をヒータ７２〜７５で包囲するように構成してもよい。このような構成とすることにより、ヒータ７２〜７５を独立に通電させ、ＸＹ平面上の任意の方向に熱変形材料を変形させることができる。【００６９】
例えば、熱変形材料３８にアモルファス材料を用いた場合には、収縮力を発生させたい方向のヒータ７２〜７５を選択的に加熱し、任意の方向に収縮力を発生させて梁部２０のバネ定数ｋを調整することができる。【００７０】
このように、実施例７に係るミラー装置によれば、任意の方向に熱変形による応力を発生させ、梁部２０のバネ定数ｋの調整を高精度に行うことができる。そしてこれにより、ミラー部１０の揺動の共振周波数ｆの調整を高精度に行うことができる。
【実施例８】
【００７１】
図８は、本発明の実施例８に係るミラー装置の一例を示した平面構成図である。図８において、片側の１つの梁部２０の表面上の構成が示されている。図８において、片側の１つの梁部２０の表面上に、２つの熱変形材料３１、３９が備えられている点で、１つの熱変形材料３０、３１、３４、３８が備えられていた実施例１乃至実施例７と異なっている。このように、熱変形材料３１、３９は、必要に応じて、片側の梁部２０の表面上に複数設けるようにしてもよい。これにより、より大きな熱変形力を発生させることができる。【００７２】
図８において、熱変形材料３２、４０をアモルファスシリコンとし、熱変形材料３３、４１を不純物が含まれたアモルファスシリコンとすると、熱変形材料３１は、実施例３の図３Ｂで示した熱変形材料３１と同様である。つまり、熱変形材料３２と熱変形材料３３とが、熱変形材料３１を軸方向に平行に２分割した構成を有している。よって、図８の熱変形材料３１には、図３Ｂの熱変形材料３１と同じ参照番号を付している。【００７３】
一方、熱変形材料３９は、不純物を含むアモルファスシリコンからなる熱変形材料４１の領域の面積が、アモルファスシリコン単独からなる熱変形材料４０の領域の面積よりも大きく構成されている。これにより、熱変形材料３９の軸方向の収縮力を熱変形材料３１よりも大きくすることができるとともに、軸に垂直な方向の湾曲力も熱変形材料３９の方が熱変形材料３１よりも大きくなるように構成することができる。【００７４】
また、熱変形材料３１と熱変形材料３９を比較すると、熱変形材料３１は、＋Ｙ側に単独アモルファスシリコンの熱変形材料３２が配置され、−Ｙ側に不純物含有アモルファスシリコンの熱変形材料３３が配置されているのに対し、熱変形材料３９は、＋Ｙ側に不純物含有アモルファスシリコンの熱変形材料４１が配置され、−Ｙ側に単独アモルファスシリコンの熱変形材料４０が配置されている。つまり、熱変形材料３１と熱変形材料３９とは、各々が含有する熱変形材料３２、３３と熱変形材料４０、４１同士に関して、材料の種類的に逆の配置となっている。これにより、熱変形材料３１は加熱収縮時に＋Ｙに反る方向、熱変形材料３９は−Ｙに反る方向に湾曲する力が発生する。【００７５】
このように、熱変形材料３１、３９を複数配置し、各々の熱変形材料３１、３９を構成する複数種類の熱変形材料３２、３３、４０、４１の配置順序や面積を任意に設定することにより、ＸＹ平面上の任意の方向に梁部２０を湾曲させることができる。つまり、製造されるミラー装置の性質の傾向を考慮し、調整し易い構成で熱変形材料３１、３９を設けることができる。【００７６】
このように、実施例８に係るミラー装置によれば、ＸＹ平面上で任意の方向に量部２０を湾曲させ、バネ定数ｋの調整を柔軟に行うことができる。そしてこれにより、ミラー部１０の揺動の共振周波数ｆの調整を高精度に行うことができる。
【実施例９】
【００７７】
図９は、本発明の実施例９に係るミラー装置の一例を示した側断面構成図である。図９において、梁部２０の上面の表面上に、片側に２つずつ熱変形材料４２、４５が設けられ、ミラー部１０を両側から挟んで配置された構成が示されている。また、熱変形材料４２は、下側に熱変形材料４４、上側に熱変形材料４３を備えた構成となっているが、熱変形材料４５は、下側に熱変形材料４３、上側に熱変形材料４４を備えた逆の配置構成となっている。つまり、熱変形材料４２、４５同士で２種類の熱変形材料４３、４４の上下配置が反転した構成となっている。【００７８】
図９において、熱変形材料４３を単独アモルファスシリコン、熱変形材料４４を不純物含有アモルファスシリコンとすると、熱変形材料４３の収縮力Ｆ５よりも、熱変形材料４４の収縮力Ｆ６が大きくなる。そうすると、梁部２０の両端部においては、梁部２０の軸方向における収縮力を大きくすることができ、梁部２０のミラー部１０付近では、−Ｚ方向（鉛直負方向）に反る湾曲力を大きくすることができる。また、梁部２０の上面にのみ熱変形材料４２、４５が設けられているので、全体としても、−Ｚ方向（鉛直負方向）に反るような湾曲力が発生する。【００７９】
このように、複数種類の熱変形材料４３、４４からなる熱変形材料４２、４５を１つの梁部２０の表面上に複数配置したり、配置位置により熱変形材料４３、４４の上下配置を変化させたりすることにより、ＸＺ平面上の任意の方向に梁部２０を湾曲させ、バネ定数ｋを調整することができる。そしてこれにより、ミラー部１０の揺動の共振周波数ｆの調整を高精度に行うことができる。
【実施例１０】
【００８０】
図１０は、本発明の実施例１０に係るミラー装置の一例を示した側断面構成図である。図１０において、片側の梁部２０の上面の表面上に複数の熱変形材料４６、４９が設けられ、各々の熱変形材料４６、４９は２種類の熱変形材料４７、４８の積層構成とされている点は、実施例９に係るミラー装置と同様である。【００８１】
実施例１０に係るミラー装置においては、熱変形材料４７と熱変形材料４８の厚さが異なっている点で、熱変形材料４３と熱変形材料４４の厚さがほぼ等しい実施例９に係るミラー装置と異なっている。【００８２】
このように、複数種類の熱変形材料４７、４８を上下に積み重ねた配置とする場合、熱変形材料４７と熱変形材料４８の厚さを異ならせてもよい。【００８３】
図１０において、熱変形材料４７を単独アモルファスシリコン、熱変形材料４８を不純物含有アモルファスシリコンとすると、熱変形材料４８の方が、熱変形材料４７よりも収縮力が大きくなる。更に、本実施例においては、同じ体積において収縮力の大きい熱変形材料４８の方が、収縮力の小さい熱変形材料４７よりも膜厚が大きく、体積が大きいので、更に熱変形材料４８の収縮力は熱変形材料４７よりも大幅に大きくなる。よって、図９で説明した傾向を、更に大きくすることができる。【００８４】
このように、実施例１０に係るミラー装置によれば、複数種類の熱変形材料４７、４８が積層されて構成される熱変形材料４６、４９を梁部２０の表面上に設ける場合において、熱変形材料４７、４８の厚さを異ならせてその体積を異ならせることにより、ＸＺ平面の任意の方向へ所望の力で湾曲力を発生させることができる。【００８５】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【００８６】
本発明は、ミラーに照射した光の反射光を走査させる光走査装置等の光デバイス全般に適用可能である。
【図１Ａ】
2012147167.tif 000004
【図１Ｂ】
2012147167.tif 000005
【図２Ａ】
2012147167.tif 000006
【図２Ｂ】
2012147167.tif 000007
【図３Ａ】
2012147167.tif 000008
【図３Ｂ】
2012147167.tif 000009
【図４Ａ】
2012147167.tif 000010
【図４Ｂ】
2012147167.tif 000011
【図５】
2012147167.tif 000012
【図６】
2012147167.tif 000013
【図７】
2012147167.tif 000014
【図８】
2012147167.tif 000015
【図９】
2012147167.tif 000016
【図１０】
2012147167.tif 000017
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
一面にミラーを有するミラー部を両側から挟むように支持する梁部を有し、該梁部をねじり駆動することにより前記ミラー部を所定の共振周波数で揺動させるミラー装置であって、
前記梁部の上面及び下面の片面又は両面の表面上に、加熱により変形する熱変形材料が設けられ、
前記梁部のバネ定数が、前記熱変形材料の加熱変形により、前記所定の共振周波数で前記ミラー部を揺動させるように調整され、
前記熱変形材料は、アモルファス材料であり、加熱後は多結晶化して収縮することを特徴とするミラー装置。
【請求項２】
（削除）
【請求項３】
（削除）
【請求項４】
前記熱変形材料は、薄膜の状態で設けられたことを特徴とする請求項１に記載のミラー装置。
【請求項５】
前記バネ定数は、加熱温度の選択により調整されたことを特徴とする請求項４に記載のミラー装置。
【請求項６】
前記熱変形材料は、前記梁部の上面及び下面に設けられ、上面と下面とで膜厚が異なることを特徴とする請求項１に記載のミラー装置。
【請求項７】
一面にミラーを有するミラー部を両側から挟むように支持する梁部を有し、該梁部をねじり駆動することにより前記ミラー部を所定の共振周波数で揺動させるミラー装置であって、
前記梁部の表面上に、加熱により変形する熱変形材料が設けられ、
前記梁部のバネ定数が、前記熱変形材料の加熱変形により、前記所定の共振周波数で前記ミラー部を揺動させるように調整され、
前記熱変形材料の少なくとも対向する２辺の周囲にヒータが設けられ、
該ヒータの通電による加熱により前記熱変形材料が変形されたことを特徴とするミラー装置。
【請求項８】
前記対向する２辺は、前記梁部の長手方向に平行な２辺であることを特徴とする請求項７に記載のミラー装置。
【請求項９】
前記ヒータは、高抵抗体材料の薄膜であることを特徴とする請求項８に記載のミラー装置。
【請求項１０】
一面にミラーを有するミラー部を両側から挟むように支持する梁部を有し、該梁部をねじり駆動することにより前記ミラー部を所定の共振周波数で揺動させるミラー装置であって、
前記梁部の表面上に、加熱により変形する熱変形材料が設けられ、
前記梁部のバネ定数が、前記熱変形材料の加熱変形により、前記所定の共振周波数で前記ミラー部を揺動させるように調整され、
前記熱変形材料は、熱変形率の異なる２種類以上の材料の各々からなる領域を有し、
前記熱変形率の異なる２種類以上の材料は、アモルファス材料と、該アモルファス材料が不純物を含有した不純物含有アモルファス材料とからなることを特徴とするミラー装置。
【請求項１１】
（削除）
【請求項１２】
前記熱変形率の異なる２種類以上の材料の各々からなる領域は、前記梁部の長手方向に平行に配列されたことを特徴とする請求項１０に記載のミラー装置。
【請求項１３】
前記熱変形率の異なる２種類以上の材料の各々からなる領域は、水平方向に並列に延在して配列されたことを特徴とする請求項１２に記載のミラー装置。
【請求項１４】
前記熱変形率の異なる２種類以上の材料の各々からなる領域は、鉛直方向に積層されて配列されたことを特徴とする請求項１２に記載のミラー装置。
【請求項１５】
前記アモルファス材料は、アモルファスシリコンであり、
前記不純物は、半導体プロセスに用いられる不純物であることを特徴とする請求項１０に記載のミラー装置。
【請求項１６】
前記熱変形率の異なる２種類以上の材料の各々からなる領域は、異なる体積を有する領域を含むことを特徴とする請求項１２に記載のミラー装置。
【国際調査報告】
2012147167.tif 000018
2012147167.tif 000019
2012147167.tif 000020
2012147167.tif 000021